(57)【要約】【課題】本発明は、車両用ディジタル放送受信装置に関し、出力される音声・映像の乱れを可能な限り抑制しつつ、出力すべき情報の階層の切り替えに起因して車両乗員に与える違和感を低減させることにある。【解決手段】車両に搭載され、劣化耐性が互いに異なる高品質階層および低品質階層を用いて同一の音声情報および同一の映像情報が共に階層伝送されるディジタル放送を受信する車両用ディジタル放送受信装置において、車両が走行しているか或いは停車しているか否かを判別する。そして、音声・映像として出力すべき情報として、車両が走行していると判別される際には低品質階層による情報を、一方、車両が停車していると判別される際には高品質階層による情報を選択する。【選択図】図５
2007184974.tif 000002
【特許請求の範囲】
【請求項１】
車両に搭載され、劣化耐性が互いに異なる高品質階層および低品質階層を用いて同一の音声情報および同一の映像情報が共に階層伝送されるディジタル放送を受信する車両用ディジタル放送受信装置であって、
車両が走行しているか或いは停車しているか否かを判別する走行状態判別手段と、
音声・映像として出力すべき情報として、前記走行状態判別手段により車両が走行していると判別される際には前記低品質階層による情報を、一方、車両が停車していると判別される際には前記高品質階層による情報を選択する選択手段と、
を備えることを特徴とする車両用ディジタル放送受信装置。
【請求項２】
前記選択手段は、前記高品質階層による情報の受信品質が所定の条件を満足する状況下においてのみ、音声・映像として出力すべき情報として、該高品質階層による情報を選択することを特徴とする請求項１記載の車両用ディジタル放送受信装置。
【請求項３】
前記選択手段は、前記高品質階層による情報の受信品質が所定の条件を満足する状態が所定時間継続した場合に、音声・映像として出力すべき情報として、該高品質階層による情報を選択することを特徴とする請求項２記載の車両用ディジタル放送受信装置。
【請求項４】
前記走行状態判別手段は、車両のパーキングブレーキの操作状態に基づいて車両の走行・停車を判別することを特徴とする請求項１記載の車両用ディジタル放送受信装置。
【請求項５】
前記走行状態判別手段は、車両の自動変速機のシフトレバーの操作位置に基づいて車両の走行・停車を判別することを特徴とする請求項１記載の車両用ディジタル放送受信装置。
【請求項６】
車両が走行している際には、映像情報が映し出される表示画面に運転者が視認不可能となるような規制を施す走行規制手段を備えることを特徴とする請求項１乃至５の何れか一項記載の車両用ディジタル放送受信装置。
【発明の詳細な説明】
【技術分野】
【０００１】
本発明は、車両に搭載された車両用ディジタル放送受信装置に係り、特に、劣化耐性が互いに異なる高品質階層および低品質階層を用いて同一の音声情報および同一の映像情報が階層伝送されるディジタル放送を受信するうえで好適な車両用ディジタル放送受信装置に関する。
【背景技術】
【０００２】
従来、劣化耐性が互いに異なる複数の階層を用いて同一の音声情報および同一の映像情報が階層伝送されるディジタル放送を受信するディジタル放送受信装置が知られている（例えば、特許文献１参照）。この受信装置においては、複数の階層による情報の受信品質がそれぞれ判定される。そして、それらの受信品質の比較結果に基づいて、受信品質の良好な階層による情報を出力すべき音声情報および映像情報として選択する。従って、上記従来の受信装置によれば、受信品質の良好な階層による情報に従った音声・映像が出力されるため、出力される音声や映像の乱れを少なくすることができる。
【特許文献１】特開２０００−１６５７６６号公報
【発明の開示】
【発明が解決しようとする課題】
【０００３】
ところで、受信装置における情報の復調速度は、その情報が伝送される階層に応じて異なるものである。このため、出力すべき音声情報および映像情報が一の階層による情報から他の階層による情報へ切り替わる際には、出力される音声や映像が抜けたり或いは重なり合う事態が生じ得る。この点、上記従来の受信装置においては、車両乗員の意思にかかわらず複数の階層のうち受信品質のよりよい階層による情報が出力すべき音声情報および映像情報として選択されるので、車両乗員にとって不意に情報の階層が切り替わることがある。このため、上記従来の装置では、情報の階層の不意な切り替わりに起因して、発せられる音声および映し出される映像の双方について車両乗員に対して違和感を与えることとなる。
【０００４】
本発明は、上述の点に鑑みてなされたものであり、出力される音声・映像の乱れを可能な限り抑制しつつ、出力すべき情報の階層の切り替えに起因して車両乗員に与える違和感を低減させることが可能な車両用ディジタル放送受信装置を提供することを目的とする。
【課題を解決するための手段】
【０００５】
上記の目的は、車両に搭載され、劣化耐性が互いに異なる高品質階層および低品質階層を用いて同一の音声情報および同一の映像情報が共に階層伝送されるディジタル放送を受信する車両用ディジタル放送受信装置であって、車両が走行しているか或いは停車しているか否かを判別する走行状態判別手段と、音声・映像として出力すべき情報として、前記走行状態判別手段により車両が走行していると判別される際には前記低品質階層による情報を、一方、車両が停車していると判別される際には前記高品質階層による情報を選択する選択手段と、を備える車両用ディジタル放送受信装置により達成される。
【０００６】
この態様の発明において、音声・映像として音声・映像化される情報は、車両走行時には低品質階層によるものであり、一方、車両停車時には高品質階層によるものである。高品質階層は低品質階層に比して劣化耐性の低い階層であるので、車両が実際に走行する際において、高品質階層による情報の受信品質は車両が停車する際における受信品質と比較して著しく低下する一方、低品質階層による情報の受信品質は車両が停車する際における受信品質と比較してあまり低下しない。このため、本発明においては、出力される音声・映像の乱れが可能な限り抑制される。また、車両の走行・停車は、一般に車両乗員の意思に基づいてなされる。このため、本発明においては、出力すべき情報の階層の切り替えが車両乗員にとって不意に行われることはなく、車両乗員に与える違和感が低減される。
【０００７】
ところで、上記した車両用ディジタル放送受信装置において、前記選択手段は、前記高品質階層による情報の受信品質が所定の条件を満足する状況下においてのみ、音声・映像として出力すべき情報として、該高品質階層による情報を選択することとすれば、高品質階層による情報が音声・映像として出力される際に、その音声・映像が乱れることはなく、その音質・画質は確保される。
【０００８】
この場合、前記選択手段は、前記高品質階層による情報の受信品質が所定の条件を満足する状態が所定時間継続した場合に、音声・映像として出力すべき情報として、該高品質階層による情報を選択することとすれば、出力すべき情報の階層が頻繁に切り替わることはないので、その切り替えに起因して車両乗員に与える違和感を低減させることができる。
【０００９】
尚、上記した車両用ディジタル放送受信装置において、前記走行状態判別手段は、車両のパーキングブレーキの操作状態に基づいて車両の走行・停車を判別することとすればよい。パーキングブレーキの解除時には車両は走行し得る状態にあり、一方、パーキングブレーキの操作時には車両は走行する状態にない。また、パーキングブレーキの操作・解除は、車両乗員の意思に基づいてなされる。従って、本発明によれば、出力される音声・映像の乱れが可能な限り抑制されると共に、出力すべき情報の階層の切り替えが車両乗員にとって不意に行われることはなく、車両乗員に与える違和感が低減される。
【００１０】
また、上記した車両用ディジタル放送受信装置において、前記走行状態判別手段は、車両の自動変速機のシフトレバーの操作位置に基づいて車両の走行・停車を判別することとすればよい。自動変速機のシフトレバーの位置がパーキング位置でない場合には車両は走行し得る状態にあり、一方、パーキング位置である場合には車両は走行する状態にない。また、自動変速機のシフトレバーの操作は、車両乗員の意思に基づいてなされる。従って、本発明によれば、出力される音声・映像の乱れが可能な限り抑制されると共に、出力すべき情報の階層の切り替えが車両乗員にとって不意に行われることはなく、車両乗員に与える違和感が低減される。
【００１１】
更に、上記した車両用ディジタル放送受信装置において、車両が走行している際には、映像情報が映し出される表示画面に運転者が視認不可能となるような規制を施す走行規制手段を備えることとすれば、車両走行時に映像情報の表示に起因して車両操作に支障が出るのを防止することができる。
【００１２】
尚、上記した発明において、「高品質階層」および「低品質階層」とは、階層自体の有する精度を比較した場合に品質の高い階層と品質の低い階層との意味である。
【発明の効果】
【００１３】
本発明によれば、出力される音声・映像の乱れを可能な限り抑制しつつ、出力すべき情報の階層の切り替えに起因して車両乗員に与える違和感を低減させることができる。
【発明を実施するための最良の形態】
【００１４】
以下、図面を用いて、本発明の具体的な実施の形態について説明する。
【実施例１】
【００１５】
図１は、本発明の第１実施例である車両に搭載される車両用ディジタル放送受信装置（以下、単に放送受信装置と称す）１０の構成図を示す。本実施例の放送受信装置１０は、アンテナ１２を有しており、アンテナ１２においてディジタル放送を受信し、そのディジタル放送の内容を音声および映像として出力する装置である。
【００１６】
図２は、本実施例において放送されるディジタル放送サービスと伝送スペクトルとの関係を模式的に表した図を示す。本実施例において、ディジタル放送は、地上波ディジタル放送であり、ディジタル変調方式としてＯＦＤＭ（Orthogonal  Frequency  Division  Multiplex；直交周波数分割多重）方式を採用するテレビジョン放送である。このディジタル放送は、テレビジョンチャネルの帯域幅（約６ＭＨｚ）を１４等分した帯域幅（約４３０ｋＨｚ）を最小単位（ＯＦＤＭセグメント）として、変調方式，畳み込み符号の符号化率，インタリーブの長さを独立に設定することにより、サービスに応じて伝送強度を変化させることができ、階層伝送が可能となっている。
【００１７】
図２に示す如く、１３個のＯＦＤＭセグメントは、互いに異なる伝送パラメータを有する２つの階層（サービス）にグループ化され、残りの１個のＯＦＤＭセグメントはガードバンドに割り当てられる。具体的には、一の階層は、変調方式を６４ＱＡＭ（Quadrature  Amplitude  Modulation；直交振幅変調）とし、誤り訂正内符号について畳み込み符号の符号化率を７／８とし、また、インタリーブ長を４とするキャリア間隔１ｋＨｚのモード３の固定受信向けハイビジョン放送を提供する階層である。また、他の階層は、変調方式をＤＱＰＳＫ（Differential  Quarternary  Phase  Shift  Keying）とし、誤り訂正内符号について畳み込み符号の符号化率を１／２とし、また、インタリーブ長を４とするキャリア間隔１ｋＨｚのモード３の携帯電話向け放送を提供するための階層である。
【００１８】
すなわち、固定受信向けハイビジョン放送は、携帯電話向け放送に比して、伝送レートが高くかつ符号化率が高い階層を利用するので、高伝送，高密度，高解像度の放送となる。一方、携帯電話向け放送は、固定受信向けハイビジョン放送に比して、伝送レートが低くかつ符号化率が低い階層を利用するので、伝送時の劣化が少ない、すなわち、伝送劣化耐性の高い放送となる。以下、固定受信向けハイビジョン放送を提供するための階層を高品質階層と、また、携帯電話向け放送を提供するための階層を低品質階層と、それぞれ称す。尚、これらの固定受信向けハイビジョン放送と携帯電話向け放送とは、同一番組（すなわち、同一の映像情報および同一の音声情報）を放送するものである。
【００１９】
図１に示す如く、放送受信装置１０は、アンテナ１２に接続するＲＦ／ＩＦ回路１４を備える。ＲＦ／ＩＦ回路１４は、アンテナ１２で受信された電波信号を増幅し、受信電波を中間周波に変換した信号を増幅する。ＲＦ／ＩＦ回路１４には、復調回路１６が接続されている。復調回路１６は、ＲＦ／ＩＦ回路１４で増幅され出力された信号をＯＦＤＭ方式を用いて元のディジタル信号に階層別に復調すると共に、伝送路において生じた符号の誤りを元の正しいディジタル信号に戻す回路である。復調回路１６には、多重分離回路１８が接続されている。多重分離回路１８は、復調回路１６で復調された階層別のパケット単位で時分割に多重化されている信号をそれぞれ音声情報と映像情報とに分離する回路である。
【００２０】
ＲＦ／ＩＦ回路１４及び多重分離回路１８には、バス２０を介してマイコン２２が接続されている。マイコン２２は、多重分離回路１８から出力された信号について階層ごとに、その誤り率，レベルの大きさ，Ｃ／Ｎ（Carrier  to  Noise）比，エラーフラグ，同期フラグ等のパラメータに基づいてその信号の受信品質を判定する処理を実行すると共に、ＥＰＧ（Electronic  Program  Guide）用の表示画像の作成等、ユーザインターフェースのためのデータ放送処理を行う。また、マイコン２２は、後に詳述する手法に従って、音声・映像として出力すべき情報を有する階層を選択し、その階層による情報に基づく音声・映像が出力されるように多重分離回路１８に指令信号を供給する。
【００２１】
多重分離回路１８には、ビデオデコーダ２４及び音声デコーダ２６が接続されている。ビデオデコーダ２４は、多重分離回路１８から出力されたＭＰＥＧ２のＭＰ＠ＨＬ等でディジタル化されている映像情報をデコードする。また、音声デコーダ２６は、多重分離回路１８から出力されたＡＡＣで圧縮されている音声情報をデコードする。
【００２２】
ビデオデコーダ２４には、ディスプレイ２８を有する画像制御部３０が接続されている。ディスプレイ２８は、車室内の例えばコンソール部に配設されている。画像制御部３０は、ビデオデコーダ２４から供給された画像情報を映像化し、ディスプレイ２８についてＧＤＣ（Graphic  Display  Control）制御を行う。また、音声デコーダ２６には、Ｄ／Ａ変換器３２を介してアンプスピーカ３４が接続されている。アンプスピーカ３４は、車室内に設けられており、音声デコーダ２６でデコードされＤ／Ａ変換器３２でアナログ変換された音声を増幅して出力する。
【００２３】
本実施例において、車両は、車輪を機械的にロックさせるパーキングブレーキ機構（図示せず）を備えている。パーキングブレーキ機構は、車室内に設けられた手動式又は足踏み式の操作部を有しており、運転者による操作部への操作により作動する。また、車両は、変速を自動的に行う自動変速機（図示せず）を備えるオートマチック車両である。自動変速機は、車室内に設けられたＡＴシフトレバーを有しており、運転者によるＡＴシフトレバーへの操作により作動する。自動変速機は、ＡＴシフトレバーがパーキング位置に操作された場合に動力と車輪とを非連結にする。
【００２４】
マイコン２２には、パーキングブレーキ機構の操作部の操作有無に応じた信号を出力するパーキングブレーキスイッチ４０が接続されていると共に、自動変速機のＡＴシフトレバーがパーキング位置に操作されているか否かに応じた信号を出力するシフト位置スイッチ４２が接続されている。マイコン２２は、パーキングブレーキスイッチ４０の出力信号に基づいてパーキングブレーキ機構の操作部が運転者により操作されているか否かを判別すると共に、シフト位置スイッチ４２の出力信号に基づいて自動変速機のＡＴシフトレバーがパーキング位置に操作されているか否かを判別する。
【００２５】
マイコン２２には、また、バス２０を介してナビゲーションコンピュータ４４が接続されている。ナビゲーションコンピュータ４４は、ＧＰＳアンテナ４６を有しており、ＧＰＳアンテナ４６において複数のＧＰＳ衛星からの電波を受信し、その受信した結果に基づいて車両の地球上における測位を検出する。マイコン２２は、ナビゲーションコンピュータ４４の検出した車両の測位について単位時間当たりの変化を検出する。
【００２６】
マイコン２２は、パーキングブレーキ機構の操作部の操作有無、自動変速機のＡＴシフトレバーのパーキング位置への操作有無、或いは、ナビゲーションコンピュータ４４の検出結果に基づく車両測位の単位時間当たりの変化に基づいて、車両が実際に走行しているのか或いは停車しているのかを判別する。
【００２７】
マイコン２２には、更に、音声・映像として出力すべき情報を有する階層を低品質階層に強制的に固定する階層固定スイッチ４８が接続されている。階層固定スイッチ４８は、車室内に設けられたＯＮ／ＯＦＦスイッチであり、運転者による操作により作動する。マイコン２２は、階層固定スイッチ４８のＯＮ／ＯＦＦ状態に基づいて、運転者の意思により低品質階層の固定が強制されているか否かを判別する。
【００２８】
次に、図３を参照して、本実施例の放送受信装置１０において、マイコン２２が、同一の番組が高品質階層および低品質階層を用いて階層伝送されるディジタル放送のうち音声・映像として出力すべき情報を有する階層を選択する手法について説明する。
【００２９】
図３は、音声・映像として出力すべき情報を有する階層を選択すべく、本実施例のマイコン２２が実行する制御ルーチンの一例のフローチャートを示す。図３に示すルーチンは、所定時間ごとに繰り返し起動されるルーチンである。図３に示すルーチンが起動されると、まずステップ１００の処理が実行される。
【００３０】
ステップ１００では、復調回路１６で復調された高品質階層による信号の誤り率、及び、復調回路１６で復調された低品質階層による信号の誤り率をそれぞれ算出する処理が実行される。
【００３１】
ステップ１０２では、高品質階層による信号の受信品質が良好であるか否か、具体的には、高品質階層による信号の誤り率の、本ステップ１０２の処理時において所定時間Ａ秒前からの平均値が所定値Ｂ以下であるか否かが判別される。高品質階層による信号の誤り率が高く、その受信品質が良好でない場合には、その劣化耐性の低い高品質階層による情報を映像としてディスプレイ２８に映し出しても良好な画質が得られないので、この場合は、劣化耐性の高い低品質階層による情報を映像としてディスプレイ２８に映し出す方が適切である。従って、否定判定がなされた場合は、次にステップ１０４の処理が実行される。一方、受信品質が良好であると判別され、肯定判別がなされた場合は、次にステップ１０６の処理が実行される。
【００３２】
ステップ１０４では、音声として出力すべき音声情報として低品質階層によるものを選択すると共に、映像として出力すべき映像情報として低品質階層によるものを選択する処理が実行される。本ステップ１０４の処理が実行されると、以後、アンプスピーカ３４から低品質階層による音声情報に基づく音声が発せられると共に、ディスプレイ２８から低品質階層による映像情報に基づく映像が映し出されることとなる。本ステップ１０４の処理が終了すると、今回のルーチンは終了される。
【００３３】
ステップ１０６では、パーキングブレーキスイッチ４０の出力信号に基づいて、パーキングブレーキ機構の操作部が運転者により操作される状態が所定時間Ｃ秒継続するか否かが判別される。パーキングブレーキが操作されている際には車両は停車状態となる一方、パーキングブレーキが解除されている際には車両は走行し得る状態となる。車両が走行している場合は、停車している場合に比して受信品質が悪くなるので、劣化耐性の低い高品質階層による情報を映像としてディスプレイ２８に映し出すと良好な画質を得ることが困難となる。従って、本ステップ１０６において否定判定がなされた場合は、次に上記ステップ１０４の処理が実行され、音声および映像を共に低品質階層による情報に基づいて出力する処理が実行される。
【００３４】
一方、車両が停車している場合は、受信品質が悪くなることはほとんどないので、高品質階層による情報を映像としてディスプレイ２８に映し出すこととすれば、元来低品質階層のものに比して品質の良い高品質階層のものが利用されることとなるので、良好な画質を得ることが可能となる。従って、上記ステップ１０６において肯定判定がなされた場合は、次にステップ１０８の処理が実行される。
【００３５】
ステップ１０８では、音声として出力すべき音声情報として低品質階層によるものを選択する一方、映像として出力すべき映像情報として高品質階層によるものを選択する処理が実行される。本ステップ１０８の処理が実行されると、以後、アンプスピーカ３４から低品質階層による音声情報に基づく音声が発せられる一方、ディスプレイ２８から高品質階層による映像情報に基づく映像が映し出されることとなる。本ステップ１０８の処理が終了すると、今回のルーチンは終了される。
【００３６】
上記図３に示すルーチンによれば、音声については常に低品質階層による情報を用いてアンプスピーカ３４から出力することができる。すなわち、本実施例において、音声として音声化される音声情報は、高品質階層による情報と低品質階層による情報とで適宜切り替わるものではなく、常に低品質階層によるものである。
【００３７】
高品質階層による情報と低品質階層による情報とではその復調速度が異なるので、音声化される音声情報が高品質階層によるものと低品質階層によるものとで切り替わる際に、アンプスピーカ３４から出力される音声が途切れたり或いは飛んだりする事態が生じ得る。音声は車両乗員の意思に関係なく常に車両乗員に聴かれるものであるので、音声が途切れたり或いは飛んだりする事態が生ずると、車両乗員に違和感を与えてしまう。
【００３８】
これに対して、本実施例においては、上述の如く、音声化される音声情報が常に低品質階層によるものであるため、音声情報の階層の切り替えに起因して音声の途切れや音飛びが生ずるのは回避される。このため、本実施例によれば、ディジタル放送の音声がスムーズに出力されることとなるので、車両乗員がディジタル放送の音声の途切れや音飛びに起因して感ずる違和感の発生を防止させることが可能となっている。
【００３９】
高品質階層は劣化耐性の比較的低い階層であるので、高品質階層による音声情報の受信品質は、車両が走行する場合と停車する場合とで大きく変化する。一方、常に音声化される音声情報を有する低品質階層は劣化耐性の比較的高い階層であるので、その情報の受信品質は、車両の走行状態にかかわらず一定に維持され、低下することは少ない。このため、本実施例においては、出力される音声の乱れを可能な限り抑制することができる。このように、本実施例の放送受信装置１０によれば、音声が乱れることなくスムーズに出力されるので、車両乗員がディジタル放送の音声を常に快適に聴くことが可能となっている。
【００４０】
また、上記図３に示すルーチンによれば、映像については、車両走行時には低品質階層による情報を用いる一方、車両停車時には高品質階層による情報を用いてディスプレイ２８から出力することができる。上記の如く高品質階層は低品質階層に比して劣化耐性の低い階層であるので、車両が実際に走行する際における高品質階層による情報の受信品質は車両が停車する際におけるものと比較して著しく低下する一方、低品質階層による情報の受信品質は車両の走行状態にかかわらず一定に維持される。この点、本実施例においては、映像としては、車両走行時には受信品質の変化が少ない低品質階層による情報が用いられ、一方、車両停車時には受信品質が著しく低下しない高品質階層による情報が用いられるので、出力される映像の乱れを抑制することができ、良好な画像を得ることができる。
【００４１】
尚、本実施例においては、映像として映像化される映像情報が、高品質階層による情報と低品質階層による情報とで切り替わるが、その切り替わり時期が車両が停車状態から走行を開始した時点および走行状態から停車した時点に同期している。車両の走行・停車は一般に運転者の意思に基づいてなされ、また、車両乗員は車両の走行・停止により映像情報の階層の切り替わり時期を把握することができる。このため、本実施例の放送受信装置１０によれば、映像情報の階層切り替えが車両乗員にとって不意に突然行われることはなく、その切り替えに起因して車両乗員に与える違和感を低減させることが可能となっている。
【００４２】
また、本実施例においては、パーキングブレーキの操作が開始されてもその操作状態が一定時間継続しなければ、すなわち、車両が停車しても停車状態が一定時間継続しなければ、映像として映像化される映像情報が、低品質階層によるものから高品質階層によるものへ切り替わることはない。かかる構成においては、車両の停車が一時的なものである際には階層が切り替わらないので、本実施例においては、頻繁に階層が切り替わることがなくなり、すなわち、階層の切り替えが抑制されることとなり、その結果、映像情報の階層の切り替わりに起因して車両乗員に与える違和感を更に低減させることが可能となっている。
【００４３】
また、本実施例においては、高品質階層による情報の受信品質が一定条件を満足するように良好でない場合には、その高品質階層による映像情報が、映像として映像化されることはない。かかる構成においては、高品質階層による映像情報が映像として乱されることなくディスプレイ２８に映し出されるので、本実施例によれば、高品質階層による映像情報が映像としてディスプレイ２８に映し出される際にその画質を高精度に確保することが可能となる。
【００４４】
すなわち、本実施例においては、高品質階層による情報の受信品質が一定の条件を満たすように良好である場合には、その高品質階層による情報を映像としてディスプレイ２８に映し出し、また、高品質階層による情報の受信品質が良好でない場合には、低品質階層による情報を映像としてディスプレイ２８に映し出すので、車両が停車する状況下で例えば車両がビルの谷間に位置する場合や大型トラックが自車両の付近を通過した場合等においても出力される映像の乱れを抑制することができ、常に良好な画像を得ることが可能となる。
【００４５】
また、本実施例において、高品質階層による情報の受信品質が良好であると判別されるためには、その誤り率の時間平均値が所定値以下であることが必要である。すなわち、一定時間誤り率の低い状態が継続しなければ、受信品質が良好であると判断されることはなく、映像として映像化される映像情報が、高品質によるものへ切り替わることはない。かかる構成においては、高品質階層による情報の誤り率が一時的に低くなった場合には階層が切り替わらないので、本実施例においては、頻繁に階層が切り替わることがなくなり、すなわち、階層の切り替えが抑制されることとなり、その結果、映像情報の階層の切り替わりに起因して車両乗員に与える違和感を更に低減させることが可能となっている。
【００４６】
尚、この場合においても、音声化される音声情報は、高品質階層による情報の受信品質に関わらず常に低品質階層によるものである。従って、本実施例によれば、上記の如く、出力される音声の乱れを可能な限り抑制しつつ、出力すべき音声情報の階層の切り替えに起因して車両乗員が感ずる違和感の発生を防止させることができ、これにより、車両乗員がディジタル放送の音声を常に快適に聴くことが可能となっている。
【００４７】
ところで、上記の第１実施例においては、車両の走行・停車の判別をパーキングブレーキの操作有無に基づいて行うこととしているが、本発明はこれに限定されるものではなく、シフト位置スイッチ４２の出力信号に基づいて自動変速機のＡＴシフトレバーがパーキング位置に操作されているか否かを判別し、その判別結果に基づいて、すなわち、ＡＴシフトレバーのパーキング位置への操作有無に基づいて車両の走行・停車の判別を行うこととしてもよい。これは、ＡＴシフトレバーの操作位置がパーキング位置である場合には車両は停車状態となる一方、その操作位置がパーキング位置でない場合には車両は走行し得る状態となるので、かかるＡＴシフトレバーのパーキング位置への操作有無に基づいて車両の走行・停止を判別することが可能であるからである。
【００４８】
また、車両の走行・停車の判別をナビゲーションコンピュータ４４から送られる車両の測位についての単位時間当たりの変化（すなわち、車両の速度）に基づいて行うこととしてもよい。これは、車両の測位変化が生じていない場合には車両は停車状態にあると判断できる一方、測位変化が生じている場合には車両は走行状態にあると判断できるので、ナビゲーションコンピュータ４４からの車両の測位の変化に基づいてその走行・停止を判別することが可能であるからである。また、かかる手法以外に、単に車輪速センサ等を用いて車両の速度を検出し、その検出結果に基づいて車両の走行・停止を判別することとしてもよい。更に、本実施例におけるパーキングブレーキの操作有無、上記のＡＴシフトレバーの操作有無、及び上記の車両速度を適宜組み合わせて車両の走行・停止を判別することとしてもよい。
【００４９】
また、上記の第１実施例においては、高品質階層による情報の受信品質が良好である状況下においてのみ、高品質階層による映像情報を映像化することとしているが、高品質階層による情報の受信品質と低品質階層による情報の受信品質とを比較した結果として受信品質のよりよい映像情報を映像化することとしてもよい。この場合には、映像化される映像情報は常に受信品質のよいものとなるので、ディスプレイ２８に映し出される映像の乱れを確実に抑制することができる。また、この場合においても、音声化される音声情報は低品質階層によるものに限られるので、出力される音声の乱れを可能な限り抑制しつつ、出力すべき音声情報の階層の切り替えに起因して車両乗員が感ずる違和感の発生を防止させることが可能となる。
【００５０】
更に、上記の第１実施例においては、車両が実際に走行していてもディジタル放送に係る映像がディスプレイ２８に映し出されることがあるが、その際、そのディスプレイ２８上に運転者が視認不可能となるような規制を施すこととしてもよい。
【００５１】
すなわち、図４は、上記第１実施例の変形例においてマイコン２２が実行する制御ルーチンの一例のフローチャートを示す。図４に示すルーチンは、所定時間ごとに繰り返し起動されるルーチンである。尚、図４において、上記図３に示すルーチン中のステップと同一の処理を実行するステップについては、同一の符号を付してその説明を省略する。すなわち、図４に示すルーチンにおいては、ステップ１０４又は１０８において映像として出力すべき映像情報が選択された後、次にステップ１５０の処理が実行される。
【００５２】
ステップ１５０では、パーキングブレーキの操作有無、上記ステップ１０６と同様の条件、或いは、ＡＴシフトレバーのパーキング位置への操作有無等に基づいて、車両が実際に走行しているか否かが判別される。その結果、車両が走行していないと判別された場合は、今回のルーチンが終了される。一方、車両が走行していると判別された場合は、次にステップ１５２の処理が実行される。
【００５３】
ステップ１５２では、映像情報が映像として映し出されるディスプレイ２８に走行時の映像規制を施す処理、具体的には、ディジタル放送に係る映像を階調低下させ、静止させ、或いは消去し、受信品質の悪い階層による映像情報を映像として映し出し、又は、運転者への注意喚起を促した例えば“走行中は音声をお楽しみください。”等の表示を行う処理が実行される。本ステップ１５２の処理が実行されると、以後、車両運転者はディスプレイ２８上の表示を視認できなくなる。本ステップ１５２の処理が終了すると、今回のルーチンは終了される。
【００５４】
かかる処理によれば、車両走行中は運転者がディジタル放送に係る映像を視認不可能となる。この場合、運転者がディスプレイ２８の表示に気を取られることはなくなり、運転者への表示の抑止となる。従って、かかる構成によれば、車両走行中に映像がディスプレイ２８に表示されることに起因して運転者の車両操作に支障が出るのを防止させることが可能となる。
【実施例２】
【００５５】
次に、上記図１及び図３と共に、図５を参照して、本発明の第２実施例について説明する。本実施例のシステムは、上記図１に示す放送受信装置１０において、マイコン２２に図５に示すルーチンを実行させることにより実現される。
【００５６】
図５は、音声・映像として出力すべき情報を有する階層を選択すべく、本実施例のマイコン２２が実行する制御ルーチンの一例のフローチャートを示す。図５に示すルーチンは、所定時間ごとに繰り返し起動されるルーチンである。尚、図５において、上記図３に示すルーチン中のステップと同一の処理を実行するステップについては、同一の符号を付してその説明を省略する。すなわち、図５に示すルーチンにおいては、ステップ１０２において高品質階層による情報の受信品質が一定の条件を満たすように良好であると判別された後、次にステップ２００の処理が実行される。
【００５７】
ステップ２００では、シフト位置スイッチ４２の出力信号に基づいて、自動変速機のＡＴシフトレバーがパーキング位置に操作される状態が所定時間Ｄ秒継続するか否かが判別される。ＡＴシフトレバーがパーキング位置に操作されている際には車両は停車状態となる一方、ＡＴシフトレバーがパーキング位置に操作されていない場合には車両は走行し得る状態となる。上記の如く、車両が走行している場合は、停車している場合に比して受信品質が悪くなるので、劣化耐性の低い高品質階層による情報を映像としてディスプレイ２８に映し出すと良好な画質を得ることが困難となる。従って、本ステップ２００において否定判定がなされた場合は、次に上記ステップ１０４の処理が実行され、音声および映像が共に低品質階層による情報に基づいて出力される。
【００５８】
一方、車両が停車している場合は、受信品質が悪くなることはほとんどないので、高品質階層による情報を映像としてディスプレイ２８に映し出すこととすれば、元来低品質階層のものに比して品質の良い高品質階層のものが利用されることとなるので、良好な画質を得ることが可能となる。従って、本ステップ２００において肯定判定がなされた場合は、次にステップ２０２の処理が実行される。
【００５９】
ステップ２０２では、音声として出力すべき音声情報および映像として出力すべき映像情報として共に低品質階層によりものを選択する処理が実行される。本ステップ２０２の処理が実行されると、以後、アンプスピーカ３４から高品質階層による音声情報に基づく音声が発せられると共に、ディスプレイ２８から高品質階層による映像情報に基づく映像が映し出されることとなる。本ステップ２０２の処理が終了すると、今回のルーチンは終了される。
【００６０】
上記図５に示すルーチンによれば、音声および映像について共に、車両走行時には低品質階層による情報を用いる一方、車両停車時には高品質階層による情報を用いて、アンプスピーカ３４およびディスプレイ２８からそれぞれ出力することができる。この点、本実施例においては、音声および映像として共に、車両走行時には受信品質の変化が少ない低品質階層による情報が用いられ、一方、車両停車時には受信品質が著しく低下することが少ない高品質階層による情報が用いられるので、出力される音声・映像の乱れを抑制することができ、良好な音質・画像を得ることができる。
【００６１】
尚、本実施例においては、音声として用いられる情報および映像として用いられる情報が共に、高品質階層による情報と低品質階層による情報とで切り替わるが、その切り替わり時期が車両が停車状態から走行を開始した時点および走行状態から停車した時点に同期している。車両の走行・停車は一般に運転者の意思に基づいてなされ、また、車両乗員は車両の走行・停止により映像情報の階層の切り替わり時期を把握することができる。このため、本実施例の放送受信装置１０においては、音声情報および映像情報の階層切り替えが車両乗員にとって不意に突然行われることはなく、その切り替えに起因して車両乗員に与える違和感を低減させることが可能となっている。
【００６２】
また、本実施例においては、ＡＴシフトレバーのパーキング位置への操作が開始されてもその操作状態が一定時間継続しなければ、すなわち、車両が停車しても停車状態が一定時間継続しなければ、音声・映像として出力される情報が、低品質階層によるものから高品質階層によるものへ切り替わることはない。かかる構成においては、車両の停車が一時的なものである際には階層が切り替わらないので、本実施例においては、頻繁に階層が切り替わることがなくなり、すなわち、階層の切り替えが抑制されることとなり、その結果、情報の階層の切り替わりに起因して車両乗員に与える違和感を更に低減させることが可能となっている。
【００６３】
また、本実施例において、高品質階層による情報は、その受信品質が一定条件を満足するように良好でない場合には音声・映像として出力されることはなく、その受信品質が良好である場合にのみ音声・映像として出力される。かかる構成によれば、高品質階層による情報が音声としてアンプスピーカ３４から発せられ、映像としてディスプレイ２８に映し出される際には、その音声・映像が乱れることはなく、その音質・画質は確保される。
【００６４】
すなわち、本実施例においては、高品質階層による情報の受信品質が一定の条件を満たすように良好である場合には、その高品質階層による情報を出力し、また、高品質階層による情報の受信品質が良好でない場合には、低品質階層による情報を出力するので、車両が停車する状況下で例えば車両がビルの谷間に位置する場合や大型トラックが自車両の付近を通過した場合等においても出力される音声・映像の乱れを抑制することができ、常に良好な音質・画像を得ることが可能となる。
【００６５】
また、本実施例において、高品質階層による情報の受信品質が良好であると判別されるためには、その誤り率の時間平均値が所定値以下であることが必要である。すなわち、一定時間誤り率の低い状態が継続しなければ、受信品質が良好であると判断されることはなく、出力される情報が高品質によるものへ切り替わることはない。かかる構成においては、高品質階層による情報の誤り率が一時的に低くなった場合には階層が切り替わらないので、本実施例においては、頻繁に階層が切り替わることがなくなり、すなわち、階層の切り替えが抑制されることとなり、その結果、音声情報・映像情報の階層の切り替わりに起因して車両乗員に与える違和感を更に低減させることが可能となっている。
【００６６】
尚、上記の第２実施例においては、マイコン２２が、シフト位置スイッチ４２の出力信号に基づいて自動変速機のＡＴシフトレバーがパーキング位置に操作されている否かを判別することにより特許請求の範囲に記載した「走行状態判別手段」が、上記図５に示すルーチン中のステップステップ１０４及び２０２の処理を実行することにより特許請求の範囲に記載した「選択手段」が、それぞれ実現されている。
【００６７】
ところで、上記の第２実施例においては、車両の走行・停車の判別をＡＴシフトレバーのパーキング位置への操作有無に基づいて行うこととしているが、本発明はこれに限定されるものではなく、パーキングブレーキスイッチ４０の出力信号に基づいてパーキングブレーキが操作されているか否かを判別し、その判別結果に基づいて、すなわち、パーキングブレーキの操作有無に基づいて車両の走行・停車の判別を行うこととしてもよい。この場合には、マイコン２２がパーキングブレーキスイッチ４０の出力信号に基づいてパーキングブレーキが操作されているか否か否かを判別することにより特許請求の範囲に記載した「走行状態判別手段」が実現される。
【実施例３】
【００６８】
次に、上記図１、図３、及び図５と共に、図６を参照して、本発明の第３実施例について説明する。本実施例のシステムは、上記図１に示す放送受信装置１０において、マイコン２２に図６に示すルーチンを実行させることにより実現される。
【００６９】
図６は、音声・映像として出力すべき情報を有する階層を選択すべく、本実施例のマイコン２２が実行する制御ルーチンの一例のフローチャートを示す。図６に示すルーチンは、所定時間ごとに繰り返し起動されるルーチンである。尚、図６において、上記図３及び図５に示すルーチン中のステップと同一の処理を実行するステップについては、同一の符号を付してその説明を省略する。すなわち、図６に示すルーチンにおいては、ステップ１０２において高品質階層による情報の受信品質が一定の条件を満たすように良好であると判別された後、次にステップ２５０の処理が実行される。
【００７０】
ステップ２５０では、階層固定スイッチ４８がＯＮ状態に操作されているか否かが判別される。その結果、階層固定スイッチ４８がＯＮ状態に操作されていない、すなわち、ＯＦＦ状態に維持されていると判別された場合には、次に上記ステップ２００の処理が実行される。一方、階層固定スイッチ４８がＯＮ状態に操作されている場合には、次に上記ステップ１０４の処理が実行され、音声および映像が共に低品質階層による情報に基づいて出力される。
【００７１】
上記図６に示すルーチンによれば、運転者の操作により階層固定スイッチ４８がＯＮ状態に維持されている場合には常に、音声および映像を共に低品質階層による情報を用いてアンプスピーカ３４およびディスプレイ２８からそれぞれ出力することができる。上記の如く、低品質階層により情報は、劣化耐性の比較的高い階層であるので、その情報の受信品質は、車両の走行状態にかかわらず一定に維持され、低下することは少ない。このため、本実施例においては、出力される音声・映像の乱れを可能な限り抑制することができる。
【００７２】
また、上記の如く、運転者が階層固定スイッチ４８をオン状態にした場合に常に低品質階層による情報が音声・映像として出力されるので、情報の階層の切り替わり時期を運転者の意思に応じて設定することが可能である。このため、本実施例においては、情報の階層切り替えが車両乗員にとって不意に突然行われることはなく、その切り替えに起因して車両乗員に与える違和感を低減させることが可能となっている。
【００７３】
ところで、上記の第２及び第３実施例においても、車両が実際に走行する際、図４に示す如く、ディジタル放送に係る映像が映し出されるディスプレイ２８上に運転者が視認不可能となるような規制を施すこととしてもよい。
【００７４】
更に、上記の第１乃至第３実施例においては、高品質階層による情報の受信品質および低品質階層による情報の受信品質を誤り率に基づいて判定することとしているが、受信品質の判定手法はこれに限定されるものではなく、受信信号のレベルの大きさ，Ｃ／Ｎ比等に基づいて判定することとしてもよい。
【図面の簡単な説明】
【００７５】
【図１】本発明の第１実施例である車両に搭載される車両用ディジタル放送受信装置の構成図である。
【図２】本実施例において放送されるディジタル放送サービスと伝送スペクトルとの関係を模式的に表した図である。
【図３】本実施例において、受信したディジタル放送を出力すべく実行される制御ルーチンのフローチャートである。
【図４】本実施例の変形例において、受信したディジタル放送を出力すべく実行される制御ルーチンのフローチャートである。
【図５】本発明の第２実施例において、受信したディジタル放送を出力すべく実行される制御ルーチンのフローチャートである。
【図６】本発明の第３実施例において、受信したディジタル放送を出力すべく実行される制御ルーチンのフローチャートである。
【符号の説明】
【００７６】
１０  車両用ディジタル放送受信装置
２２  マイコン
２８  ディスプレイ
３４  アンプスピーカ
４０  パーキングブレーキスイッチ
４２  シフト位置スイッチ
【図１】
2007184974.tif 000003
【図２】
2007184974.tif 000004
【図３】
2007184974.tif 000005
【図４】
2007184974.tif 000006
【図５】
2007184974.tif 000007
【図６】
2007184974.tif 000008